(57)【要約】  本発明は、バドミントンラケットのハンドルのためのグリップ１に関し、グリップは、長手方向成形部２と、上方成形部３と、下方成形部４とを備え、長手方向成形部は、親指の位置を画定し、上方成形部、下方成形部、及び長手方向成形部は、人差し指の位置を画定する領域を提供し、下方成形部は、中指の位置を画定する。
2021522029.tif 000002
【特許請求の範囲】
【請求項１】
バドミントンラケットのハンドルのためのグリップ（１）であって、長手方向成形部（２）と、上方成形部（３）と、下方成形部（４）とを備え、前記長手方向成形部（２）が、親指の位置を画定し、前記上方成形部（３）、前記下方成形部（４）、及び前記長手方向成形部（２）が、人差し指の位置を画定する領域を提供し、前記下方成形部（４）が、中指の位置を画定する、グリップ（１）。
【請求項２】
本発明による前記バドミントンラケットのハンドルのためのグリップ（１）が、Ｚ字形として提供され、連結線が、前記長手方向成形部に類似し、前記上方成形部及び前記下方成形部に実質的に鉛直に取り付けられ得る、請求項１に記載のグリップ（１）。
【請求項３】
前記長手方向成形部（２）と前記上方成形部（３）との間の角度（Ａ）が、７５°から１１０°の範囲など、例えば８０°から１００°の範囲、８５°から９５°の範囲など、例えば実質的に鉛直など、７０°から１２０°の範囲であり、及び／又は、前記長手方向成形部（２）と前記下方成形部（４）との間の角度（Ｂ）は、例えば４５°から９０°の範囲、５０°から８０°の範囲など、例えば６０°から７０°の範囲、約６５°など、３０°から９０°の範囲であり、及び／又は、前記上方成形部（３）と前記下方成形部（４）との間の距離は、０．７５から４．５ｃｍの範囲など、例えば１．０から４．０ｃｍの範囲、１．５から３．５ｃｍの範囲など、例えば２．０から３．０ｃｍの範囲、約２．５ｃｍなど、０．５から５ｃｍの範囲である、請求項１又は２に記載のグリップ（１）。
【請求項４】
前記グリップ（１）が、上方固定手段（５）を備え、前記上方固定手段（５）が、前記上方成形部（３）及び前記長手方向成形部（２）に連結されている、請求項１から３までのいずれか一項に記載のグリップ（１）。
【請求項５】
前記上方固定手段（５）が、前記上方成形部（３）の一部を形成し、及び／又は、前記上方固定手段（５）が、前記上方成形部（３）の延長部分に相当する、請求項４に記載のグリップ（１）。
【請求項６】
前記グリップ（１）が、下方固定手段（６）を備え、前記下方固定手段（６）が、前記下方成形部（４）及び前記長手方向成形部（２）に連結されている、請求項１から５までのいずれか一項に記載のグリップ（１）。
【請求項７】
前記下方固定手段（６）が、前記下方成形部（４）の一部を形成し、及び／又は、前記下方固定手段（６）が、前記下方成形部（４）の延長部分に相当する、請求項６に記載のグリップ（１）。
【請求項８】
前記長手方向成形部（２）がスリット（７）を備え、好ましくは、前記スリット（７）が、前記長手方向成形部（２）の長手方向に延在する、請求項１から７までのいずれか一項に記載のグリップ（１）。
【請求項９】
前記長手方向成形部（２）が、前記長手方向成形部（２）の一方又は両方の端部に配置された、少なくとも１つのＶ字形部（８）を備える、請求項８に記載のグリップ（１）。
【請求項１０】
前記少なくとも１つのＶ字形部（８）の先端（９）が、前記長手方向成形部（２）の前記スリット（７）と開放連結している、請求項９に記載のグリップ（１）。
【請求項１１】
前記グリップ（１）が、薬指及び／又は小指の位置を画定する手段を備えない、請求項１から１０までのいずれか一項に記載のグリップ（１）。
【請求項１２】
前記グリップ（１）及び／又は前記固定手段は、前記グリップをバドミントンラケットのハンドルに固定するためのねじ又はナットを備えない、請求項１から１１までのいずれか一項に記載のグリップ（１）。
【請求項１３】
前記バドミントンラケットのハンドルのためのグリップ（１）が、その原形から変形されていない、請求項１から１２までのいずれか一項に記載のグリップ（１）。
【請求項１４】
前記バドミントンラケットのハンドルのためのグリップ（１）は、オーバーグリップの２０％以上など、例えば３０％以上、４０％以上など、例えば５０％以上、６０％以上など、例えば７０％以上、８０％以上などが、プレーヤーの皮膚、手、及び指と接触するために使用できるなど、オーバーグリップの１０％以上が、プレーヤーの皮膚、手、及び指と接触するために使用できることを可能にする、請求項１から１３までのいずれか一項に記載のグリップ（１）。
【請求項１５】
請求項１から１４までのいずれか一項に記載のグリップを備える、バドミントンラケット。
【発明の詳細な説明】
【技術分野】
【０００１】
本発明は、スポーツラケットのハンドルのためのグリップに関する。具体的には、本発明は、初心者が、バドミントンを習うときに適正な握り方を習得することを補助し、教示し、助けるために提供される、バドミントンラケットのハンドルのためのグリップに関する。
【背景技術】
【０００２】
ラケットスポーツでは、プレー中にラケットを持つとき、指が適正に位置していることが非常に重要である。ラケットのハンドル上の指が適正な位置にあると、ボールを打つときにラケットを動かすという、技術的に困難で複雑な側面を習得することが可能となる。
【０００３】
ラケットの持ち方及び指の位置は、様々なラケットスポーツで酷似しているように思われることがあるが、ラケットを通じてプレーヤーからボールへ伝えられる力が異なり、ラケットの重さが異なり、ボールの形状及び重さが異なり、試合が異なるなどし、更に、これらの多くの違いが、それぞれのスポーツにおいて、特別な技術的及び特有の詳細を必要とするため、大きくて有意な違いが存在する。
【０００４】
従来のバドミントンラケットは、通常、ヘッドフレーム内のガットが張られた面と、ハンドルに連結されたシャフトとを含む。ラケットのハンドルは、従来より八角柱であり、適正な握り方を示すことができない。ハンドルの表面（ハンドル面）には、水分／汗の移動及び手触りを向上するためのオーバーグリップが備わる。初心者は、示されず、教えられなければ、不適切な握り位置を使用しがちである。適正な握り位置が示されているときでも、初心者は、握り位置を、意識的又は無意識的に不適切な握り位置に回しがちである。
【０００５】
テニス、スカッシュ、及びバドミントンは、握っている手の位置に関して多くの類似点を共有し、それらは全て、「オープンフィスト」／「ハローグリップ」を使用する。種々の打撃アプローチを得るために、ハンドルが手の中で回転され、その結果、ヘッドフレームを同様に回転させる。ハンドルを回転させるとき、指は、互いに対して同じ位置を保つ。
【０００６】
適正な握り位置がとても重要であり、従って、使用者が適切な握り位置を使用することを助けるデバイスが望ましい。複数のデバイスが記載されてきたが、しかしながら、これらは主に、テニスラケット及びスカッシュラケット用に提供され、記載されている。
【０００７】
上述したように、バドミントンは、テニス及びスカッシュと同じ「ハローグリップ」を使用するが、「バックハンドグリップ」／「サムグリップ」をバドミントンで使用するときは、大きな違いが１つ存在する。バドミントンでは、親指が、ほぼヘッドフレームの方に向くように、より長手方向に方向付けられて配置される。
【０００８】
米国特許出願公開第２０１２／００６５００７号明細書は、ラケットのハンドルを記載し、ラケットのハンドルは、ラケットのハンドルの表面に形成された複数の溝位置を有する。これらの溝位置は、ラケットのハンドルの永続的な部分である。溝位置は、使用者が適正な握り方を使用する助けとなることが意図されている。これらの溝位置は、バドミントンをプレーするときに必要なサムグリップ及びハローグリップの両方を教示することを助ける。彼らのデバイスを使用すると、使用者は、従来のバドミントンラケットのハンドルの形であり、ラケットから取り去ることができない一般的な八角柱ではなく、溝位置に慣れることになる。
【０００９】
米国特許出願公開第２００９／００１１８７５号明細書は、少なくとも外面と、内面とを備えるスカッシュラケットのハンドルグリップに関し、該外面は、盛り上がった表面隆起を含み、該盛り上がった表面隆起は、（ａ）使用者の手の人差し指を受け入れるための人差し指受け入れ凹部と、（ｂ）使用者の手の親指を受け入れるための第１の位置の部位と、（ｃ）使用者の手の中指を受け入れるための第２の位置の部位とを画定し、該人差し指受け入れ凹部は、該第１の位置の部位及び該第２の位置の部位の両方に関連した角度で該外面に配置される。米国特許出願公開第２００９／００１１８７５号明細書の開示は、「ハローグリップ」を教示するが、「サムグリップ」については許容せず、教示していないデバイスを記載する。更に、グリップと手及び指の皮膚との間の接触を考慮していない。
【００１０】
米国特許第７，７５８，４５５号明細書は、テニスラケットのためのトレーニンググリップを記載する。トレーニンググリップは、使用者の手を受け入れ、特定の握り様式に適した位置に手を配置する、一連の凸部と凹部とを有する。米国特許第７，７５８，４５５号明細書は、１つより多い握り様式にグリップが使用されることを可能にする、ユニバーサルトレーニンググリップを含む。米国特許第７，７５８，４５５号明細書の開示は、「ハローグリップ」を教示するためのデバイスを記載するが、「サムグリップ」については何も記載されず、又は、示されていない。更に、米国特許第７，７５８，４５５号明細書は、グリップと手及び指の皮膚との間の接触を考慮していない。
【００１１】
プレーし始めの頃、適正な握り位置を習得するときに重要なツール／デバイスであるのと同様に、プレーヤーが特定のラケット及びハンドル面、並びにハンドル面に適用されたオーバーグリップに慣れた頃に、ツール／デバイスが取り去られたときに、ハンドル面で感じる変化を最小限にすることが同じく重要である。
【先行技術文献】
【特許文献】
【００１２】
【特許文献１】米国特許出願公開第２０１２／００６５００７号明細書
【特許文献２】米国特許出願公開第２００９／００１１８７５号明細書
【特許文献３】米国特許第７，７５８，４５５号明細書
【発明の概要】
【発明が解決しようとする課題】
【００１３】
従って、「ハローグリップ」及び「バックハンドグリップ」／「サムグリップ」の両方を教示する、及び／又は、許容することについての上述のグリップの欠点を解決し、同時に、従来の形状及びハンドル面とバドミントンプレーヤーの皮膚、指、及び手との間の接触、並びに、ハンドル面とバドミントンプレーヤーの皮膚、指、及び手との間の感触及び手触りを損なわないバドミントンラケットのハンドルのためのグリップが必要とされる。
【００１４】
従って、本発明の目的は、初心者が、バドミントンを習うときに適正な握り方を習得することを補助し、教示し、助けるためのバドミントンラケットのハンドルのためのグリップに関する。
【００１５】
具体的には、本発明の目的は、「ハローグリップ」及び「バックハンドグリップ」／「サムグリップ」の両方を教示する、及び／又は、許容することについての先行技術の上述の問題を解決し、バドミントンプレーヤーが、ハンドル面、及び例えばバドミントンラケットのハンドルのオーバーグリップへの接触を覚えることを可能にする、バドミントンラケットのハンドルを提供することである。
【課題を解決するための手段】
【００１６】
従って、本発明の１つの態様は、バドミントンラケットのハンドルのためのグリップ（１）に関し、グリップ（１）は、長手方向成形部（２）と、上方成形部（３）と、下方成形部（４）とを備え、長手方向成形部（２）は、親指の位置を画定し、上方成形部（３）、下方成形部（４）、及び長手方向成形部（２）は、人差し指の位置を画定する領域を提供し、下方成形部（４）は、中指の位置を画定する。
【００１７】
本発明の別の態様は、バドミントンラケット上の手及び指の適正な位置をプレーヤーが維持することを促進し、補助し、訓練するために、本発明によるグリップを使用することに関する。
【００１８】
本発明の更に別の態様は、本発明によるグリップを備えるバドミントンラケットに関する。
【図面の簡単な説明】
【００１９】
【図１】本発明による、バドミントンラケットのハンドルのためのグリップ（１）の第１の側面図であり、バドミントンラケットのハンドルは、グリップ（１）に対してヘッドが上向きになるように垂直に配置される。
【図２】本発明による、バドミントンラケットのハンドルのためのグリップ（１）の第２の側面図であり、バドミントンラケットのハンドルは、グリップ（１）に対してヘッドが上向きになるように垂直に配置される。
【図３】本発明による、バドミントンラケットのハンドルのためのグリップ（１）の正面図であり、バドミントンラケットのハンドルは、ヘッドが上向きになるようにグリップ（１）の中に垂直に配置される。ハンドル、及び、バドミントンラケットのハンドルのためのグリップ（１）までラケットのフレームをたどると、ラケットのフレームの外周から続く「線」は、バドミントンラケットのハンドルのためのグリップ（１）のスリット（７）をまっすぐに通過する。
【図４】本発明による、バドミントンラケットのハンドルのためのグリップ（１）の背面図であり、バドミントンラケットのハンドルは、ヘッドが上向きになるようにグリップ（１）の中に垂直に配置される。ハンドル、及び、バドミントンラケットのハンドルのためのグリップ（１）までラケットのフレームの外周をたどると、ラケットのフレームの外周から続く「線」は、バドミントンラケットのハンドルのためのグリップ（１）のスリット（７）をまっすぐに通過する。
【図５】本発明による、バドミントンラケットのハンドルのためのグリップ（１）の上面図であり、バドミントンラケットのハンドルは、グリップ（１）の中央に配置される。ハンドル、及び、バドミントンラケットのハンドルのためのグリップ（１）までラケットのフレームの外周をたどると、ラケットのフレームの外周から続く「線」は、バドミントンラケットのハンドルのためのグリップのスリット（７）をまっすぐに通過する。
【発明を実施するための形態】
【００２０】
以下、本発明をより詳細に記載する。
【００２１】
初心者は、従って、示されず、教えられなければ、不適切な握り位置を使用しがちである。適正な握り位置が示されているときでも、初心者は、握り位置を、意識的又は無意識的に不適切な握り位置に回しがちである。適正な握り位置がとても重要であり、従って、使用者が適切なグリップ位置を使用することを助ける、本発明によるグリップなどのデバイスが望ましい。
【００２２】
従来のバドミントンラケットは、通常、ヘッドフレーム内のガットが張られた面と、ハンドル面を有するハンドルに連結されたシャフトとを含み、ハンドル面には、ハンドルとプレーヤーの皮膚、指、及び手との間に接触をもたらし、手触りを提供するオーバーグリップが備わり得る。ラケットのハンドルは、一般的に八角柱であり、適正な握り方を示すことができない。初心者は、示されず、教えられなければ、不適切な握り位置を使用しがちである。適正な握り位置が示されているときでも、初心者は、握り位置を、意識的又は無意識的に不適切な握り位置に回しがちである。
【００２３】
テニス、スカッシュ、及びバドミントンは、握っている手の位置に関して多くの類似点を共有し、それらは全て、「オープンフィスト」／「ハローグリップ」を使用する。種々の打撃アプローチを提供するために、ハンドルが手の中で回転され得、その結果、ヘッドフレームを同様に回転させる。ハンドルを回転させるとき、指は、互いに対して同じ位置を保つ。
【００２４】
テニス、スカッシュ、及びバドミントンの握り位置は、いくつかの類似点を有し（３つの全てのスポーツが「ハローグリップ」の握り位置を使用し）得るが、バドミントンでは、ボール（シャトル）を制御する、方向付ける、加速させるために、指及び手首によってもたらされる力を使用することが要求され、プレー中に絶えず握り方が変更され得るために、握り位置におけるより高い柔軟性が要求される。従って、この高い柔軟性を持たせるために、バドミントンラケットのハンドルのためのグリップは、好ましくは、可能な限り単純なものであるべきことが好ましい。「ハローグリップ」に加えて、バドミントンでは、具体的には、（「バックハンドグリップ」とも呼ばれる）「サムグリップ」も使用される。
【００２５】
テニス及びスカッシュをプレーするときよりも、バドミントンをプレーするときに、親指が、「サムグリップ」の際にラケットのシャフト及びハンドルに対してより長手方向に方向付けられるため、この「サムグリップ」により、バドミントンと、テニス及びスカッシュは明確に区別される。
【００２６】
テニス及びスカッシュで使用される握り位置と比較し、バドミントンで「バックハンドグリップ」／「サムグリップ」を使用することから見た本質的な違いは、親指が、ほぼヘッドフレームの方に向くように、より長手方向に方向付けられた配置をとり得ることである。
【００２７】
従って、本発明者は、従来より提供されているグリップは、バドミントンをプレーするときに適切な柔軟性及び握り位置を提供しないということがわかったが、本発明の発明者は、驚くべきことに、上述の問題を解決するためにバドミントンに適した、本明細書に記載されるデバイス／グリップを見出した。従って、本発明の好ましい態様は、バドミントンラケットのハンドルのためのグリップに関し、グリップは、長手方向成形部と、上方成形部と、下方成形部とを備え、長手方向成形部は、親指の位置を画定し、上方成形部、下方成形部、及び長手方向成形部は、人差し指の位置を画定する領域を提供し、下方成形部は、中指の位置を画定する。
【００２８】
本発明の発明者は、プレーヤーの皮膚、指、及び手に直接接触するために使用可能なハンドル面の表面積を大きくすることによって、プレーヤーが、バドミントンラケットのハンドルのためのグリップなしでプレーし始めるときに、適切な握り位置を保つことが容易となることも見出した。
【００２９】
本発明の実施例では、グリップは、取り付け可能／取り外し可能なグリップである。これにより、使用者が、所望により、グリップを容易に動かす、取り去る／取り外す、及び／又は取り付けることが可能となる。本発明による取り付け可能／取り外し可能なグリップの１つの有利性は、特別に開発されたラケットを必要とせず、本発明によるグリップの有無にかかわらず、同じラケットが使用され得ることである。
【００３０】
本発明の文脈では、「バドミントンラケットのハンドルのためのグリップ」という用語は、ラケットのハンドルに適用され、プレー中及び練習中に、指を適正な握り位置に導くことができるデバイスに関する。
【００３１】
本発明の文脈では、「握り位置」という用語は、本発明によるグリップの有無にかかわらず、プレー中及び練習中のハンドル上の指の位置に関する。
【００３２】
バドミントンプレーヤーは、実行するストローク、及び、ストロークが実行されなければならない場所に応じ、プレー中に複数の異なる様式の指の位置を使用するため、バドミントンラケットのハンドルのためのグリップは、可能な限り単純で、握り位置に高い柔軟性を持たせることが好ましいことであり得る。
【００３３】
本発明の実施例では、本発明によるバドミントンラケットのハンドルのためのグリップは、長手方向成形部と、上方成形部と、下方成形部とを備え、上方成形部及び下方成形部は、長手方向成形部から反対方向に延在する。
【００３４】
本発明の更なる実施例では、本発明によるバドミントンラケットのハンドルのためのグリップは、Ｚ字形として提供され、連結線は、長手方向成形部に類似し、上方成形部及び下方成形部に実質的に鉛直に取り付けられ得る。
【００３５】
本発明の別の実施例では、バドミントンラケットのハンドルのためのグリップは、下方成形部を備え、下方成形部は、下方成形部の下方に中指の位置を画定し、下方成形部の上方に人差し指の位置を画定する。
【００３６】
バドミントンラケットのハンドルのためのグリップは、好ましくは、オーバーグリップとプレーヤーの皮膚、手、及び指との間にできるだけ多くの接触を持たせる、単純で開放的な構造で提供され得る。本発明の実施例では、バドミントンラケットのハンドルのためのグリップは、オーバーグリップの２０％以上など、例えば３０％以上、４０％以上など、例えば５０％以上、６０％以上など、例えば７０％以上、８０％以上などが、プレーヤーの皮膚、手、及び指と接触するために使用できるなど、オーバーグリップの１０％以上が、プレーヤーの皮膚、手、及び指と接触するために使用できることを可能にする。
【００３７】
本発明の更に別の実施例では、バドミントンラケットのハンドルのためのグリップは、薬指及び／又は小指の位置を画定する手段を備えない。
【００３８】
本発明の更なる実施例では、長手方向成形部（２）と上方成形部（３）との間の角度（Ａ）は、７５°から１１０°の範囲など、例えば８０°から１００°の範囲、８５°から９５°の範囲など、例えば実質的に鉛直など、７０°から１２０°の範囲である。
【００３９】
本発明の文脈では、「実質的に鉛直」という用語は、９０°±３°以下など、例えば９０°±２°以下、９０°±１°以下など、９０°±４°以下に関する。
【００４０】
本発明の更に別の実施例では、長手方向成形部（２）と下方成形部（４）との間の角度（Ｂ）は、例えば４５°から９０°の範囲、５０°から８０°の範囲など、例えば６０°から７０°の範囲、約６５°など、３０°から９０°の範囲である。
【００４１】
長手方向成形部は、好ましくは、グリップの方向を画定することができる。好ましくは、長手方向成形部は、シャフト及びバドミントンラケットのハンドルに対して実質的平行方向に配置される。
【００４２】
本発明の文脈では、「実質的平行方向」という用語は、長手方向成形部が、平行方向に対して、３５°以下だけなど、例えば３０°以下だけ、２５°以下だけなど、例えば２０°以下だけ、１５°以下だけなど、例えば１０°以下だけ、５°以下だけなど、例えば２°以下だけなど、４０°以下だけ差があることを意味する。
【００４３】
本発明の実施例では、上方成形部（３）と下方成形部（４）との間の距離は、０．７５から４．５ｃｍの範囲など、例えば１．０から４．０ｃｍの範囲、１．５から３．５ｃｍの範囲など、例えば２．０から３．０ｃｍの範囲、約２．５ｃｍなど、０．５から５ｃｍの範囲である。上方成形部（３）と下方成形部（４）との間の距離は、人差し指の位置を画定する、上方成形部、下方成形部、及び長手方向成形部によって提供される領域の一辺を画定することができる。
【００４４】
本発明の更なる実施例では、グリップ（１）は、上方固定手段（５）を備え、上方固定手段（５）は、上方成形部（３）及び長手方向成形部（２）に連結されている。
【００４５】
長手方向成形部（２）、上方成形部（３）、及び／又は上方固定手段（５）の間に提供される領域は、ラケットのハンドルのための位置を画定することができる。上方固定手段（５）は、ラケットのハンドル上にグリップ（１）を確実に留めることができる。
【００４６】
上方固定手段（５）は、上方成形部（３）の一部を形成することができ、及び／又は、上方固定手段（５）は、上方成形部（３）の延長部分に相当することができる。
【００４７】
本発明の実施例では、グリップ（１）は、下方固定手段（６）を備えることができ、下方固定手段（６）は、下方成形部（４）及び長手方向成形部（２）に連結されている。
【００４８】
長手方向成形部（２）、下方成形部（４）、及び／又は下方固定手段（６）の間に提供される領域は、ラケットのハンドルの位置を画定することができる。下方固定手段（６）は、ラケットのハンドル上にグリップ（１）を確実に留めることができる。
【００４９】
好ましくは、上方固定手段（５）は下方固定手段（６）と共に、ラケットのハンドル上にグリップ（１）を確実に留めることができる。
【００５０】
下方固定手段（６）は、下方成形部（４）の一部を形成することができ、及び／又は、下方固定手段（６）は、下方成形部（４）の延長部分に相当する。
【００５１】
本発明の実施例では、長手方向成形部（２）は、スリット（７）を備え、好ましくは、スリット（７）は、長手方向成形部（２）の長手方向に延在する。
【００５２】
本発明の更なる実施例では、長手方向成形部（２）は、長手方向成形部（２）の一方又は両方の端部に配置された、少なくとも１つのＶ字形部（８）を備える。
【００５３】
本発明の別の実施例では、Ｖ字形部（８）は、Ｖ字の長手方向に対して、７０°未満など、例えば６０°未満、５０°未満など、例えば４０°未満、３０°未満など、例えば２０°未満、８０から２０°の範囲など、例えば７０から３０°の範囲、６０から３５°の範囲など、例えば５０から４０°の範囲など、８０°未満の角度を有することができる。
【００５４】
本発明の文脈では、「Ｖ字の長手方向」という用語は、Ｖ字の先端からＶ字形部（８）の両辺間の中間を通る方向に関する。
【００５５】
Ｖ字形部（８）は、好ましくは、グリップ（１）をラケットのハンドルに、より迅速に容易に取り付けるために提供され得る。
【００５６】
本発明の実施例では、少なくとも１つのＶ字形部（８）の先端（９）は、長手方向部（２）のスリット（７）の中に延在する。
【００５７】
好ましくは、少なくとも１つのＶ字形部（８）の先端（９）は、長手方向成形部（２）のスリット（７）と開放連結（ｏｐｅｎ  ｃｏｎｎｅｃｔｉｏｎ）している。
【００５８】
本発明の実施例では、長手方向成形部（２）内のスリット（７）は、上方成形部（３）を通るスリット（７）と一方の端部で開放連結し、下方成形部（４）を通るスリット（７）と他方の端部で開放連結している。
【００５９】
本発明の更なる実施例では、グリップ（１）は、長手方向成形部（２）、上方成形部（３）、及び下方成形部（４）以外の更なる成形部を備えない。
【００６０】
バドミントンラケットのハンドルのためのグリップ（１）は、力が印加されたときに、スリット（７）を押して、より開かせるために、スリット（７）の周辺が柔軟であり得る。好ましくは、バドミントンラケットのハンドルのためのグリップ（１）は、力が解除されると、元の位置に戻る。
【００６１】
スリット（７）は、バドミントンラケットのハンドルのためのグリップ（１）を取り付ける、取り外す、又は移動する手段として機能することができる。バドミントンラケットのハンドルのためのグリップ（１）を取り付ける、取り外す、又は移動するとき、力を印加するとスリット（７）が広げられ得、バドミントンラケットのハンドルのためのグリップ（１）は、例えばバドミントンラケットのシャフトの周りに付けられ、ハンドル上に配置され得る。力が解除されると、バドミントンラケットのハンドルのためのグリップは、元の位置に戻り、バドミントンラケットのハンドルの周辺を締め付け、使用される準備が整う。
【００６２】
バドミントンラケットのハンドルのためのグリップ（１）は、ラケットのハンドル上に直接装着されることもできるが、しかしながら、これには、ラケットのハンドルの周辺を把持するためにスリット（１）を確実に適切に開く、より大きな力が必要となり、バドミントンラケットのハンドルのためのグリップ（１）が変形する、又は、破損さえする恐れがある。
【００６３】
本発明の文脈では、「固定手段」という用語は、バドミントンラケットのハンドルのためのグリップ（１）が、ラケットのハンドルのハンドルにしっかりと固定されるのを補助し、バドミントンラケットのハンドルのためのグリップ（１）が、プレー中及び練習中にハンドルから脱落しない、又は、ハンドル上で回転しないことを確実にする手段に関する。
【００６４】
上方固定手段（５）及び下方固定手段（６）は、バドミントンラケットのハンドルのためのグリップ（１）の安定性を確保し、バドミントンラケットのハンドルのためのグリップ（１）が、使用中に脱落又は回転することを回避するが、バドミントンラケットのハンドルのためのグリップ（１）を安定させるための手段は、追加されてもよい。
【００６５】
本発明のスリット（７）は、異なる形状をとることができる。好ましくは、この形状は、バドミントンラケットのハンドルのためのグリップ（１）が、プレー中にハンドルから脱落しない、又は、ハンドル上で回転しないように補助するためだけでなく、バドミントンラケットのハンドルのためのグリップ（１）を容易に取り付ける、取り外す、又は移動することを確保するように選択され得る。
【００６６】
本発明の実施例では、スリット（７）は、バドミントンラケット上に配置されたとき、シャフトの長手方向、及び／又は、ハンドルの長手方向に対して長手方向にあり得る。
【００６７】
本発明の好ましい実施例では、グリップ（１）は、長手方向成形部（２）、上方成形部（３）、及び下方成形部（４）以外の更なる成形部を備えない。
【００６８】
プレーヤーがハンドルの原形に慣れること、ハンドルの適切な感触を得ることを可能にするために、グリップ（１）は、スリーブを備えなくてもよい。
【００６９】
本発明の実施例では、バドミントンラケットのハンドルのためのグリップ及び／又は固定手段は、グリップをバドミントンラケットのハンドルに固定するためのねじ又はナットを備えない。
【００７０】
本発明の更なる実施例では、バドミントンラケットのハンドルは、その原形から変形されていない。
【００７１】
好ましくは、グリップ（１）は、プラスチック、高分子材料、金属、ゴム（例えばネオプレン）、布地、発泡体、又はそれらの任意の組み合わせから作製される。
【００７２】
本発明の態様のうちの１つの文脈で記載された実施例及び特徴は、本発明の他の態様にも適用されることを理解されたい。
【００７３】
本出願で引用された特許及び非特許への全ての参照は、参照によりそれらの全体が本明細書に組み込まれる。
【００７４】
以下、本発明を、次の非限定的な好ましい実施例において、より詳細に記載する。
【実施例】
【００７５】
図１から５は、様々な方向から見た本発明によるバドミントンラケットのハンドルのためのグリップ（１）を示し、図１は、バドミントンラケットのハンドルのためのグリップ（１）を第１の側面から見た図であり、図２は、バドミントンラケットのハンドルのためのグリップ（１）を第２の側面から見た図であり、図３は、本発明によるバドミントンラケットのハンドルのためのグリップ（１）を正面から見た図であり、図４は、バドミントンラケットのハンドルのためのグリップ（１）を背面から見た図であり、図５は、バドミントンラケットのハンドルのためのグリップ（１）を上面から見た図である。バドミントンラケットのハンドルは、バドミントンラケットのシャフト及びハンドルに対して長手方向に、垂直に配置され得る。ハンドル、及び、バドミントンラケットのハンドルのためのグリップ（１）までラケットのヘッドのフレームをたどると、ラケットのフレームの外周から続く「線」は、バドミントンラケットのハンドルのためのグリップ（１）のスリット（７）をまっすぐに通過する。
【００７６】
バドミントンラケットのハンドルのためのグリップ（１）は、バドミントンラケットのハンドルのためのグリップ（１）を備え、グリップ（１）は、長手方向成形部（２）と、上方成形部（３）と、下方成形部（４）とを備え、長手方向成形部（２）は、親指の位置を画定し、上方成形部（３）、下方成形部（４）、及び長手方向成形部（２）は、人差し指の位置を画定する領域を提供し、下方成形部（４）は、中指の位置を画定する。
【００７７】
グリップ（１）には、上方固定手段（５）が備わり得、上方固定手段（５）は、好ましくは、上方成形部（３）及び長手方向成形部（２）に連結され、上方成形部（３）の一部を形成することができる。長手方向成形部（２）と上方固定手段（５）との間に提供される領域は、バドミントンラケットのハンドルを保持するための領域を画定する。グリップ（１）は、下方固定手段（６）を更に備え、下方固定手段（６）は、下方成形部（４）及び長手方向成形部（２）に連結され、下方成形部（４）の一部を形成することができる。これらの上方固定手段及び下方固定手段は、それぞれ、上方成形部（３）及び下方成形部（４）の延長部分に相当することができる。
【００７８】
グリップ（１）は、長手方向成形部（２）と上方成形部（３）との間に角度（Ａ）を備えることができ、この角度は変えることができるが、本図面では、この角度は、実質的に鉛直（約９０°）である。
【００７９】
長手方向成形部（２）の方向は、好ましくは、バドミントンラケットのシャフト及びハンドルと平行であり得るが、しかしながら、本発明のいくつかの実施例では、長手方向成形部（２）は、平行方向に対して、３５°以下だけなど、例えば３０°以下だけ、２５°以下だけなど、例えば２０°以下だけ、１５°以下だけなど、例えば１０°以下だけ、５°以下だけなど、例えば２°以下だけなど、４０°以下だけ平行方向から差があり得る。
【００８０】
更に、長手方向成形部（２）と下方成形部（４）との間の角度（Ｂ）は、人差し指と中指との間に適切な距離を設けるように提供され得るが、指、具体的には人差し指及び中指を正しく方向付けるようにも提供され得る。角度（ｂ）は、図１及び２では約６５°で示される。
【００８１】
図３から５では、長手方向成形部（２）には、スリット（７）が備わり得、スリット（７）は、長手方向成形部（２）の長手方向に延在する。
【００８２】
図３から５で示されるように、グリップ（１）には、グリップ（１）の上方端部に配置され、長手方向部（２）のスリット（７）の中に延在するＶ字形部（８）が備わり得る。Ｖ字形部（８）は、バドミントンラケットのハンドルにグリップ（１）を適用するときに、補助するために設けられ得る。図示されるように、長手方向成形部（２）内のスリット（７）は、上方成形部（３）を通るスリット（７）と一方の端部で開放連結し、下方成形部（４）を通るスリット（７）と他方の端部で開放連結している。
【００８３】
バドミントンラケットのハンドルのためのグリップ（１）、具体的には長手方向部（２）が、使用中に脱落、回転、又は移動せず、正しい位置に配置され、従って、指の適正な方向及び位置を提供することを確実にするために、固定手段（上方固定手段（５）及び下方固定手段（６））が提供される。上方固定手段（５）は、例えば、長手方向部（２）の下方端部にある下方固定手段（６）に至るスリット（７）と開放連通状態にあるＶ字形部（８）を介して、長手方向部（２）の上方端部に連結される。第２のＶ字形部が、長手方向部（２）の上方端部にあるＶ字形部（８）に対して反転して、長手方向部（２）の下方端部に配置され得、この反転したＶ字形部は、図示されていない。
【００８４】
バドミントンラケットのハンドルのためのグリップ（１）を取り付ける、取り外す、又は移動するために、バドミントンラケットのハンドルのためのグリップ（１）には、スリット（７）が備わり得る。スリット（７）は、好ましくは、Ｖ字形部（９）の先端から長手方向成形部（２）を通って長手方向に、バドミントンラケットのハンドルのためのグリップ（１）に亘り延在することができる。
【００８５】
バドミントンラケットのハンドルのためのグリップ（１）は、スリット（７）の周辺が柔軟であり得る。スリット（７）をより開かせるために、力が印加され、スリット（７）の縁をねじ曲げて離間させ得る。好ましくは、バドミントンラケットのハンドルのためのグリップ（１）は、力が解除されると、元の位置に戻る。
【００８６】
上述したように、スリット（７）は、Ｖ字形部（８）と共に、バドミントンラケットのハンドルのためのグリップ（１）を取り付ける、取り外す、又は移動する手段として機能することができる。バドミントンラケットのハンドルのためのグリップ（１）を取り付ける、取り外す、又は移動するとき、力を印加するとスリット（７）が広げられ得、バドミントンラケットのハンドルのためのグリップ（１）は、例えばバドミントンラケットのシャフトの周りに付けられ、ハンドル上までスライドさせることができる。バドミントンラケットのハンドルのためのグリップ（１）から力が解除されると、グリップ（１）は元の位置及び形状に戻り、バドミントンラケットのハンドルの周辺を締め付け、使用される準備が整う。
【００８７】
バドミントンラケットのハンドルのためのグリップ（１）は、ラケットのハンドル上に装着されることもできるが、しかしながら、これには、ラケットのハンドルの周辺を把持するためにスリット（７）を確実に適切に開く、より大きな力が必要となり、バドミントンラケットのハンドルのためのグリップ（１）が変形する、又は、破損さえする恐れがある。
【００８８】
テニス及びスカッシュのような他のラケットスポーツと比較すると、バドミントンをプレーするとき、及び、バドミントンを習うときには、多くの異なる指の位置が使用され、指は、可能な限り柔軟性を有する必要があるため、バドミントンラケットのハンドルのためのグリップ（１）は、好ましくは、更なる成形構造を備えない。
【００８９】
図の様々な特徴部は、グリップの特徴部を定義するために使用された以下の符号に従うことができる。
【符号の説明】
【００９０】
１  バドミントンラケットのハンドルのためのグリップ
２  長手方向成形部
３  上方成形部
４  下方成形部
５  上方固定手段
６  下方固定手段
７  スリット
８  Ｖ字形部
９  Ｖ字形部の先端
【図１】
2021522029.tif 000003
【図２】
2021522029.tif 000004
【図３】
2021522029.tif 000005
【図４】
2021522029.tif 000006
【図５】
2021522029.tif 000007
【国際調査報告】
2021522029.tif 000008
2021522029.tif 000009
2021522029.tif 000010